(57)【要約】【課題】枠体や面材の設計変更の必要がなく、かつ面材の建て込みが円滑に実施できる建具を提供すること。【解決手段】上枠２１の見込面部の内側にカバー部２０を設け、かつ、上枠２１の長手方向に沿って引戸３の上框３１を覆うようにカバー部２０を設け、このカバー部２０の内部にラック１１を固定し、上框３１にロータリーオイルダンパー１３を固定したので、減速装置１０を設けない場合の建具枠２および引戸３の構成のままでも、減速装置１０を配置するスペースを確保することができ、建具枠２や引戸３の設計変更の必要がなく、かつ引戸３の建て込みが円滑に実施できる。【選択図】図１
2008025239.tif 000002
【特許請求の範囲】
【請求項１】
枠体と、この枠体にスライド開閉自在に支持された少なくとも１枚の面材と、この面材の開閉速度を減速させる減速手段とを備えた建具であって、
前記枠体には、前記面材の側面の一部を覆うカバー部が設けられ、
前記減速手段は、所定の減速区間内にて互いに相対移動することによって減衰力を発揮する第１減速部材および第２減速部材を有して構成され、これら第１および第２の減速部材が前記カバー部に覆われるとともに、第１および第２の減速部材のいずれか一方が前記面材の側面に設けられ、他方が前記カバー部の内側に設けられ、
前記面材の全閉位置から当該面材を所定距離だけ開移動させた位置までの閉鎖側減速区間、および前記面材の全開位置から当該面材を所定距離だけ閉移動させた位置までの開放側減速区間の少なくともいずれか一方によって前記減速区間が設定されている建具。
【請求項２】
前記カバー部は、前記枠体に対して着脱可能に構成され、
前記第１減速部材および第２減速部材のうち、前記面材の側面に設けられる方の減速部材は、当該面材の側面に対して着脱可能に構成されている請求項１に記載の建具。
【請求項３】
前記第１減速部材は、ピニオンギヤを有したロータリーダンパーで構成され、
前記第２減速部材は、前記ピニオンギヤと噛合可能なラックで構成されている請求項１または請求項２に記載の建具。
【請求項４】
前記ロータリーダンパーは、一方向の回転だけ減衰力を発揮する一方向型ダンパーで構成されるとともに、減衰力を発揮する減衰力発揮回転方向が互いに異なる閉鎖側一方向型ダンパーおよび開放側一方向型ダンパーの２つの一方向型ダンパーから構成され、
前記ラックは、閉鎖側ラックと開放側ラックとの２つのラックで構成され、
前記閉鎖側ラックは、前記面材の閉移動の際に閉鎖側減速区間内で前記閉鎖側一方向型ダンパーが減衰力発揮回転方向に回転するように、当該閉鎖側一方向型ダンパーのピニオンギヤと噛合可能に設けられ、
前記開放側ラックは、前記面材の開移動の際に開放側減速区間内で前記開放側一方向型ダンパーが減衰力発揮回転方向に回転するように、当該開放側一方向型ダンパーのピニオンギヤと噛合可能に設けられている請求項３に記載の建具。
【請求項５】
前記ロータリーダンパーは、一方向の回転だけ減衰力を発揮する一方向型ダンパーで構成され、
前記ラックは、閉鎖側ラックと開放側ラックとの２つのラックで構成され、
前記閉鎖側ラックは、前記面材の閉移動の際に閉鎖側減速区間内で前記一方向型ダンパーが減衰力発揮回転方向に回転するように、当該一方向型ダンパーのピニオンギヤと噛合可能に設けられ、
前記開放側ラックは、前記一方向型ダンパーのスライド移動中心軸に対して前記閉鎖側ラックとは反対側に設けられ、前記面材の開移動の際に開放側減速区間内で前記一方向型ダンパーのピニオンギヤと噛合可能に設けられている請求項３に記載の建具。
【請求項６】
浴室と脱衣室との出入口に設けられ、
前記カバー部および減速手段は、前記面材の脱衣室側に設けられている請求項１から請求項５のいずれかに記載の建具。
【発明の詳細な説明】
【技術分野】
【０００１】
本発明は、建具に関する。詳しくは、枠体にスライド開閉可能に支持された少なくとも１枚の面材の開閉速度を減速させる減速手段を備えた建具に関する。
【背景技術】
【０００２】
従来、面材の開閉速度を減速させる減速装置を備えた引戸形式の建具が知られている。（例えば、特許文献１参照）。
特許文献１に記載された建具における減速装置は、枠体における上枠のレールに沿って取り付けられたラックと、このラックに噛合可能なピニオンギヤを有し面材の上端部に取り付けられたロータリーオイルダンパーとを備えて構成されている。そして、面材の閉移動の途中でラックにピニオンギヤが噛合し、ピニオンギヤが回転することでダンパー内のオイルの粘性により面材を減速させる作用を働かせるようになっている。
【０００３】
【特許文献１】実開平５−４２５６４号公報（図１〜３）
【発明の開示】
【発明が解決しようとする課題】
【０００４】
しかしながら、前記特許文献１の記載の建具では、面材の上端部に、ロータリーオイルダンパーが取り付けられ、上枠のレール近傍にラックが取り付けられているため、面材と上枠との間にロータリーオイルダンパーを設置するための設置空間を確保する必要があった。このため、上枠のレールを下方に延長して上枠本体と面材との隙間を大きくするなどの設計変更が必要になり、通常の枠体や面材が利用できなくなるという問題がある。
また、面材の上端部にロータリーオイルダンパーが取り付けられているため、面材をけんどん式で建て込む（または取り外す）際にダンパーが邪魔になり、建て込み作業の作業性が低下してしまうという問題もある。
【０００５】
本発明の目的は、枠体や面材の設計変更の必要がなく、現場での後付けも可能で、かつ面材の建て込みが円滑に実施できる建具を提供することにある。
【課題を解決するための手段】
【０００６】
本発明の建具は、枠体と、この枠体にスライド開閉自在に支持された少なくとも１枚の面材と、この面材の開閉速度を減速させる減速手段とを備えた建具であって、前記枠体には、前記面材の側面の一部を覆うカバー部が設けられ、前記減速手段は、所定の減速区間内にて互いに相対移動することによって減衰力を発揮する第１減速部材および第２減速部材を有して構成され、これら第１および第２の減速部材が前記カバー部に覆われるとともに、第１および第２の減速部材のいずれか一方が前記面材の側面に設けられ、他方が前記カバー部の内側に設けられ、前記面材の全閉位置から当該面材を所定距離だけ開移動させた位置までの閉鎖側減速区間、および前記面材の全開位置から当該面材を所定距離だけ閉移動させた位置までの開放側減速区間の少なくともいずれか一方によって前記減速区間が設定されていることを特徴とする。
【０００７】
ここで、減速手段としては、従来のようなピニオンギヤを有したロータリーオイルダンパー（第１減速部材）と、ピニオンギヤと噛合可能なラック（第２減速部材）とで構成されていてもよく、またオイルが充填されたシリンダ内を往復動するピストンを有した直動ダンパー（第１減速部材）と、この直動ダンパーのピストンに当接して押圧する（または引っ張る）部材とで構成されていてもよい。また、減衰力の発揮メカニズムとしては、オイルの内部抵抗によるものに限らず、気体（空気等）やオイル以外の液体（水等）の移動抵抗を利用したものでもよく、運動エネルギを電気エネルギに変換する電磁ダンパーなどでもよい。さらには、第１減速部材および第２減速部材が互いに摺接することで摩擦力として減衰力を発揮するタイプの摩擦ダンパーを利用することもできる。
また、面材としては、上下左右の框材を四周框組みした内部にガラス製または樹脂製の板材を嵌め込んで構成された障子が利用可能である。あるいは、面材としては、木製や樹脂製、金属製の板材から構成されたものであってもよい。
【０００８】
このような構成によれば、減速手段の第１減速部材および第２減速部材の一方を面材に設け、他方を枠体のカバー部に設けたことで、面材の開閉移動に伴って第１減速部材と第２減速部材との間に相対移動が生じるため、閉鎖側減速区間または開放側減速区間において第１減速部材と第２減速部材面材とが互いに作用して減衰力が発揮される。従って、開動作または閉動作の終わる手前で面材を減速させることができ、面材を勢いよく開操作または閉操作した場合でも、面材の移動速度を減速させて枠体への衝突を防ぐことができる。
また、第１および第２の減速部材の一方を面材の側面に設け、他方をカバー部の内側に設けたことで、従来のように面材の上端部と上枠との間に減速装置を設ける場合と比較して、設置スペースの制約を受けにくくなるとともに、枠体と面材との案内部分の構造（レールやレール受け、摺動片等）を変更する必要がなくなる。これによって、通常の枠体や面材を利用し、この枠体にカバー部を設けるとともに枠体および面材に減速手段を設けるだけで減速機構が付加できる。また、面材の側面の一部を覆うカバー部内と面材の側面とのいずれかに第１および第２の減速部材の一方および他方を設けた、つまり面材の側方に減速手段を設けたことで、面材をけんどん式で枠体に建て込む（または取り外す）際に減速手段が邪魔になることがなく、建て込み作業を円滑に実施できて作業性を良好に維持することができる
さらに、減速手段の第１および第２の減速部材をカバー部で覆ったことで、減速手段が露出することがなく、建具の外観を良好に維持することができる。
【０００９】
本発明の建具では、前記カバー部は、前記枠体に対して着脱可能に構成され、前記第１減速部材および第２減速部材のうち、前記面材の側面に設けられる方の減速部材は、当該面材の側面に対して着脱可能に構成されていることが好ましい。
このような構成によれば、枠体とは別体のカバー部を枠体に取り付けて、第１減速部材および第２減速部材のうちの面材の側面に設けられる方の減速部材を面材の側面に取り付けることによって、既に建物等に設置されている建具に対して、後から減速装置およびカバー部を取り付けることができ、後付けで減速機構を付加することができる。また、減速装置あるいはカバー部が破損した際に、容易に交換することもできる。
【００１０】
本発明の建具では、前記第１減速部材は、ピニオンギヤを有したロータリーダンパーで構成され、前記第２減速部材は、前記ピニオンギヤと噛合可能なラックで構成されていることが好ましい。
このような構成によれば、ロータリーダンパーおよびラックの一方を面材に設けて、他方をカバー部に設けたことで、閉鎖側減速区間または開放側減速区間においてピニオンギヤとラックとが噛合して、ロータリーダンパーによって減衰力が発揮される。すなわち、減速手段をロータリーダンパーとラックとの組合せで構成したので、減速手段をコンパクトにすることができ、減速手段を覆うカバー部もコンパクトにすることができる。
【００１１】
本発明の建具では、前記ロータリーダンパーは、一方向の回転だけ減衰力を発揮する一方向型ダンパーで構成されるとともに、減衰力を発揮する減衰力発揮回転方向が互いに異なる閉鎖側一方向型ダンパーおよび開放側一方向型ダンパーの２つの一方向型ダンパーから構成され、前記ラックは、閉鎖側ラックと開放側ラックとの２つのラックで構成され、前記閉鎖側ラックは、前記面材の閉移動の際に閉鎖側減速区間内で前記閉鎖側一方向型ダンパーが減衰力発揮回転方向に回転するように、当該閉鎖側一方向型ダンパーのピニオンギヤと噛合可能に設けられ、前記開放側ラックは、前記面材の開移動の際に開放側減速区間内で前記開放側一方向型ダンパーが減衰力発揮回転方向に回転するように、当該開放側一方向型ダンパーのピニオンギヤと噛合可能に設けられていることが好ましい。
【００１２】
このような構成によれば、閉鎖側減速区間内では閉鎖側一方向型ダンパーのピニオンギヤと閉鎖側ラックとが噛合して閉鎖側一方向型ダンパーが減衰力を発揮し、開放側減速区間内では開放側一方向型ダンパーのピニオンギヤと開放側ラックとが噛合して開放側一方向型ダンパーが減衰力を発揮するので、面材の閉動作および開動作のいずれの動作でも、当該動作の終わる手前で面材を減速させることができ、枠体への衝突を防ぐことができる。
また、ロータリーダンパーが、一方向の回転だけ減衰力を発揮する一方向型ダンパーであるので、面材の全閉位置から面材を開移動させる際および面材の全開位置から面材を閉移動させる際には、ロータリーダンパーが非減衰力発揮回転方向に回転して減衰力を発揮しないので、スムーズな開閉動作を確保することができる。
【００１３】
本発明の建具では、前記ロータリーダンパーは、一方向の回転だけ減衰力を発揮する一方向型ダンパーで構成され、前記ラックは、閉鎖側ラックと開放側ラックとの２つのラックで構成され、前記閉鎖側ラックは、前記面材の閉移動の際に閉鎖側減速区間内で前記一方向型ダンパーが減衰力発揮回転方向に回転するように、当該一方向型ダンパーのピニオンギヤと噛合可能に設けられ、前記開放側ラックは、前記一方向型ダンパーのスライド移動中心軸に対して前記閉鎖側ラックとは反対側に設けられ、前記面材の開移動の際に開放側減速区間内で前記一方向型ダンパーのピニオンギヤと噛合可能に設けられていることが好ましい。
【００１４】
このような構成によれば、閉鎖側ラックを閉鎖側減速区間内にて一方向型ダンパーが減衰力発揮回転方向でピニオンギヤと噛合するように設け、開放側ラックを一方向型ダンパーのスライド移動中心軸に対して前記閉鎖側ラックとは反対側に設けることで、開放側減速区間内では一方向型ダンパーが閉鎖側減速区間内で減衰力を発揮する回転方向と同方向でピニオンギヤと噛合するので、１つの１方向型ダンパーで面材の閉動作および開動作のいずれの動作でも、面材の減速が可能となる。また、２つの一方向型ダンパーで構成する場合には、同一の減衰力発揮回転方向の一方向型ダンパーを使用することができ、構成部品の共通化を図ることができる。
また、ロータリーダンパーが、一方向の回転だけ減衰力を発揮する一方向型ダンパーであるので、面材の全閉位置から面材を開移動させる際および面材の全開位置から面材を閉移動させる際には、ロータリーダンパーが非減衰力発揮回転方向に回転して減衰力を発揮しないので、スムーズな開閉動作を確保することができる。
【００１５】
本発明の建具は、浴室と脱衣室との出入口に設けられ、前記カバー部および減速手段は、前記面材の脱衣室側に設けられていることが好ましい。
このような構成によれば、浴室出入口のように一般的に重量の軽い面材で構成されている建具の場合でも、減速手段によって面材の移動速度を減速させて枠体との衝突を防ぐことができ、面材や枠体を破損しにくくすることができる。
また、浴室出入口のように一般的に下戸車方式が多く採用されている建具の場合でも、第１および第２減速部材の一方を面材の側面に設け、他方をカバー部の内側に設けたことで、面材の上端部と上枠との間のスペースが小さいことによる、減速装置の設置スペースの制約を受けにくくすることができる。
【発明を実施するための最良の形態】
【００１６】
以下、本発明の実施形態を図面に基づいて説明する。
なお、後述する第２実施形態以降において、以下に説明する第１実施形態での構成部材と同じ構成部材および同様な機能を有する構成部材には同一符号を付し、説明を簡単にあるいは省略する。
【００１７】
［第１実施形態］
図１は、本実施形態における建具としての浴室出入口１を示す脱衣室側から見た全体正面図である。図２は、浴室出入口１の減速手段としての減速装置１０の要部を拡大して示す縦断面図である。図３は、減速装置１０を構成する第２減速部材としてのラック１１を示す側面図および正面図である。図４は、減速装置１０を構成する第１減速部材としてのロータリーオイルダンパー１３を示す側面図および正面図である。図５は、浴室出入口１のカバー部２０を示す斜視図である。図６は、浴室出入口１の閉動作を示す模式図である。
【００１８】
図１および図２において、浴室出入口１は、片引戸形式の出入口であって、それぞれアルミの押出形材製の上枠２１、下枠２２、および左右の縦枠２３，２４を四周枠組みして形成された枠体としての建具枠２と、この建具枠２内にスライド開閉自在に設けられた面材としての引戸（障子）３と、この引戸３を閉じる際に引戸３を減速させる減速装置１０とを備えて構成されている。
引戸３は、それぞれアルミの押出形材製の上框３１、下框３２、および左右の縦框３３，３４を四周框組みした内部に、樹脂板３５を嵌め込んで構成されている。
【００１９】
建具枠２の上枠２１は、図２に示すように、見込み方向に沿って配置された見込面部２１１を有し、この見込面部２１１には引戸３を案内する上レール２１２が連続して形成されている。また、見込面部２１１の脱衣室側の端部は、額縁材４に当接している。上枠２１は、見込面部２１１の脱衣室側の端部に連続して上レール２１２に平行に配置された見付面部２１３を有している。この見付面部２１３の内側の端部には、額縁材４の内周面４１の浴室側辺縁を覆う見込面部２１４が延設されている。この見込面部２１４は、額縁材４にビス止め固定されている。
【００２０】
見込面部２１４の内側には、カバー部２０が設けられている。カバー部２０は、図１に示すように、上枠２１の見付け方向長さと同じ長さ寸法に形成され、上框３１の脱衣室側の見付面３１１（図２）を覆っている。
カバー部２０は、図２および図５に示すように、上框３１の見付面３１１に平行に配置されるカバー面部２０１と、上枠２１の見込面部２１４に取り付けられる取付面部２０２と、底面部２０３とから長手方向に直交する断面形状がコ字状に形成されている。
【００２１】
取付面部２０２は、当該取付面部２０２と見込面部２１４とが合うように配置されている。
底面部２０３は、当該底面部２０３の見込み方向の両端部に設けられるＬ字状の取付具５１を有している。この取付具５１は、Ｌ字の一方の片部が底面部２０３にネジ（ユリアネジ）５２によって螺合固定され、Ｌ字の他方の片部が縦枠２３，２４にビス５３によってビス止めされている。なお、ネジ５２が挿通される底面部２０３のネジ孔は、カバー部２０の長手方向に沿った長孔として形成されている。また、底面部２０３は、図５に示すように、２つの底面部２０３Ａ，２０３Ｂから構成され、これらの底面部２０３Ａ，２０３Ｂの間には切欠部２０６が形成されている。
【００２２】
カバー部２０のカバー面部２０１および取付面部２０２には、後述するラック１１を取り付けるための突起部２０４，２０５がそれぞれ形成されている。これらの突起部２０４，２０５は、図５に示すように、カバー部の長手方向に沿って連続して形成されている。
【００２３】
減速装置１０は、図１〜図４に示すようにラック１１と、ロータリーオイルダンパー１３とを備えて構成されている。ラック１１は、カバー部２０の内部に当該カバー部２０の長手方向に沿って固定され、図３に示すように、長手方向に直交する断面形状が略正方形で、長さ寸法Ｌ１に形成され、長手方向に沿って配列される複数の歯１１１を有している。これらの歯１１１が形成された面に直交する両側面１１２には、取付用の溝部１１３が長手方向に沿って１条ずつ形成されている。これらの溝部１１３がカバー部２０の突起部２０４，２０５に係止されることによって、ラック１１がカバー部２０の所定位置に固定されている。
【００２４】
ロータリーオイルダンパー１３は、上框３１の脱衣室側の見付面３１１に固定されており、本体部１３１と、この本体部１３１に回転自在に支持された回転軸部１３２と、固定用のフランジ部１３３と、回転軸部１３２に嵌合されたピニオンギヤ１２とを有して構成されている。
回転軸部１３２は、図２に示すように、軸方向が見込み方向に平行になるように配置され、基端が本体部１３１の内部に収納され、先端が本体部１３１から脱衣室側に突出するように構成されている。フランジ部１３３には、ビス止め用の長孔１３４が形成されている。この長孔１３４は、長手方向が上下方向となるように形成されている。
【００２５】
回転軸部１３２の先端には、ラック１１と噛合可能なピニオンギヤ１２が嵌合固定されている。すなわち、ロータリーオイルダンパー１３は、上框３１の脱衣室側の見付面３１１において、ピニオンギヤ１２がラック１１と噛合するように配置され、フランジ部１３３の長孔１３４を介して、上框３１に螺合固定されている。
ロータリーオイルダンパー１３の本体部１３１の内部には、粘性流体としてのオイルが充填されており、回転軸部１３２が回転すると、粘性流体が移動して、この粘性流体の移動による摩擦熱が発生することで、回転軸部１３２の回転運動エネルギを吸収するように構成されている。図４（Ｂ）に示すように、ロータリーオイルダンパー１３は、回転軸部１３２が矢印Ａの反時計周りの回転方向（ロータリーオイルダンパー１３が減衰力を発揮する減衰力発揮回転方向）では、回転軸部１３２の回転エネルギを吸収（減衰）するが、矢印Ｂの時計回りの回転方向（非減衰力発揮回転方向）では、粘性流体が摩擦熱を発生しないように構成されており、回転エネルギを吸収（減衰）しない。すなわち、ロータリーオイルダンパー１３は、一方向のみの回転エネルギ吸収（減衰）機能を有する一方向型ロータリーダンパーとして構成されている。
なお、図２では、カバー部２０が上枠２１に取り付られた状態を示すとともに、矢印で示すようにカバー部２０のみを取り外した状態も併せて示している。
【００２６】
次に、浴室出入口１の引戸３を全開位置（図６（Ａ））から閉移動させる場合について説明する。
まず、引戸３が全開位置（図６（Ａ））の場合には、ピニオンギヤ１２とラック１１とは噛合していない。そして、引戸３が全閉位置よりも手前の位置（図６（Ｂ））まで閉移動すると、ピニオンギヤ１２とラック１１とが互いに噛合する。この位置から引戸３が閉移動すると、ピニオンギヤ１２が回転し、ロータリーオイルダンパー１３が矢印Ａの回転方向（減衰力発揮回転方向）に回転するので、ピニオンギヤ１２の回転エネルギをロータリーオイルダンパー１３が吸収する。このようにして、引戸３と建具枠２間の相対運動（相対移動）がピニオンギヤ１２の回転運動に変換され、ロータリーオイルダンパー１３の回転軸部１３２の回転運動が粘性流体の摩擦熱に変換されて、引戸３が減速するようになっている。
なお、ラック１１の長さ寸法Ｌ１は、図１に示すように、ピニオンギヤ１２とラック１１が噛合して引戸３が減速する範囲である閉鎖側減速区間Ｌ２の長さ寸法よりも大きくなるように設定され、浴室出入口１が設置される環境に応じて閉鎖側減速区間Ｌ２の長さ寸法が変動する場合にラック１１の長さを延長しなくても済むようになっている。また、引戸３を閉状態の位置から開動作させる場合には、ラック１１によってピニオンギヤ１２が回転して、ロータリーオイルダンパー１３の回転軸部１３２が矢印Ｂの回転方向（非減衰力発揮回転方向）に回転するので、ロータリーオイルダンパー１３では回転軸部１３２の回転エネルギが吸収されず、従って、減速装置１０によって引戸３が減速することはなく、スムーズに引戸３を開動作することができる。
【００２７】
次に、浴室出入口１に減速装置１０およびカバー部２０を取り付ける手順について説明する。
まず、引戸３の上框３１の所定の位置にロータリーオイルダンパー１３をビス止め固定する。次に、縦枠２３，２４の所定の位置に取付具５１をビス止め固定する。次に、予めラック１１を所定の位置に固定しておいたカバー部２０を、ネジ５２で取付具５１に螺合固定する。
また、ロータリーオイルダンパー１３のフランジ部１３３の長孔１３４によって、ロータリーオイルダンパー１３の高さ方向の位置調整を行うことで、ラック１１に対するピニオンギヤ１２の高さ方向の位置調整を行う。また、カバー部２０の底面部２０３および取付具５１のいずれかに形成された長孔によって、カバー部２０の長手方向の位置調整を行うことで、ピニオンギヤ１２に対するラック１１の長手方向の位置調整を行う。
このようにして、減速装置１０およびカバー部２０が浴室出入口１に取り付けられる。
【００２８】
次に、引戸３を建具枠２から取り外す手順について説明する。
まず、ラック１１とピニオンギヤ１２とが噛合しない位置に引戸３をスライド移動させ、ピニオンギヤ１２およびロータリーオイルダンパー１３をカバー部２０の切欠部２０６の位置に合わせる。
次に、ピニオンギヤ１２およびロータリーオイルダンパー１３が切欠部６０を通るようにして引戸３をけんどん式で建具枠２から取り外す。
このようにして、引戸３が建具枠２から取り外される。
なお、前述の逆の方法によって、引戸３が建具枠２へ建て込まれる。
【００２９】
このような本実施形態によれば、以下のような効果がある。
（１−１）減速装置１０の手段のロータリーオイルダンパー１３が引戸３に設けられ、ラック１１が建具枠２のカバー部２０に設けられ、引戸３の開閉移動に伴ってラック１１によってロータリーオイルダンパー１３の回転軸部１３２が減衰力発揮回転方向に回転されるため、閉鎖側減速区間Ｌ２においてロータリーオイルダンパー１３の減衰力が発揮され、閉動作の終わる手前で引戸３を減速させることができ、引戸３を勢いよく閉操作した場合でも、縦枠２４への衝突を防ぐことができる。
【００３０】
（１−２）上枠２１の見込面部２１４の内側（下側）にカバー部２０が設けられ、かつ、上枠２１の長手方向に沿って引戸３の上框３１を覆うようにカバー部２０が設けられ、このカバー部２０の内部にラック１１が固定され、上框３１にロータリーオイルダンパー１３が固定されているので、減速装置１０を設けない場合の建具枠２および引戸３の構成のままでも、減速装置１０を配置するスペースを確保することができる。
【００３１】
（１−３）減速装置１０およびカバー部２０が引戸３の脱衣室側に配置され、減速装置１０がカバー部に覆われているので、減速装置１０が脱衣室側に露出することがなく、良好な外観を維持することができる。
【００３２】
（１−４）引戸３を開移動させる際にも、閉移動で引戸３を減速させる本実施形態の減速装置１０と同様の構成で、開放側ラックと開放側ロータリーオイルダンパーを設ければ、引戸３の閉動作および開動作のいずれの動作でも、当該動作の終わる手前で引戸３を減速させることができ、建具枠２への衝突を防ぐことができる。
【００３３】
［第２実施形態］
次に、本発明の第２実施形態を図７に基づいて説明する。図７は、本実施形態に係る減速装置１０Ａおよびカバー部２０Ａの要部を拡大して示す縦断面図である。
本実施形態における建具としての浴室出入口１Ａは、前述の第１実施形態の浴室出入口１に対してカバー部２０Ａの構成が相違するもので、その他の構成は略同様である。以下、相違点について説明する。
【００３４】
図７において、カバー部２０Ａは、蝶番２０７を介して上枠２１の見込面部２１４に固定されている。蝶番２０７は、回転軸２０７Ｃを中心に旋回する２枚の面部２０７Ａ，２０７Ｂを有し、一方の面部２０７Ａは、カバー部２０Ａの取付面部２０２と重ね合わされた状態で溶接等で接合され、他方の面部２０７Ｂは、上枠２１の見込面部２１４と重ね合わされた状態で溶接等で接合されている。さらに、カバー部２０Ａが回転軸２０７Ｃを中心に、脱衣室側に旋廻して、カバー部２０Ａの底面部２０３が脱衣室側に移動した位置（図７中、２点鎖線で記載の位置）になるように構成されている。つまり、引戸３を建具枠２に対してけんどん式で着脱させる際に、ピニオンギヤ１２およびロータリーオイルダンパー１３がカバー部２０Ａの底面部２０３と干渉しない位置まで移動できる。
【００３５】
ラック１１は、支持部材２０９を介してカバー部２０Ａに固定されている。支持部材２０９は、ラック１１の溝部１１３を係止する突起部２０４Ａ，２０５Ａを有し、カバー部２０Ａのカバー面部２０１にビス止め固定されている。
カバー部２０Ａの底面部２０３における縦枠２４側の端部には、縦枠２４に固定された金属片部２４２に磁力で付着している角型の磁石２０８が固定されている。
【００３６】
このような構成において、引戸３を建具枠２に対してけんどん式で着脱させる場合には、まず、ラック１１およびピニオンギヤ１２が螺合しない位置まで引戸３を移動させる。次に、カバー部２０Ａに磁石２０８の磁力よりも大きい力を加えて、蝶番２０７の回転軸２０７Ｃを中心に旋廻させる。そして、引戸３を建具枠２に対してけんどん式で着脱させる。
【００３７】
このような本実施形態によれば、前述の効果に加えて以下のような効果がある。
（２−１）蝶番２０７によって、カバー部２０Ａが回転軸２０７Ｃを中心に旋廻可能に設けられ、カバー部２０Ａは、磁石２０８で縦枠２３，２４に付着しているので、磁石２０８の磁力より強い力をカバー部２０Ａに加えて旋廻させるだけで、カバー部２０Ａが開放される。従って、引戸３を建具枠２に対して着脱する際における、カバー部２０Ａを開放する操作が容易にできる。
【００３８】
（２−２）カバー部２０Ａに切欠部を設けなくても、引戸３を建具枠２に対して着脱できるので、切欠部を介して減速装置が露出することがなく、外観を良好に維持することができる。
【００３９】
なお、本実施形態の変形例に係る浴室出入口１Ｂとしては、図８に示すような構成を採用してもよい。図８は、浴室出入口１Ｂの減速装置１０Ｂおよびカバー部２０Ｂの要部を拡大して示す縦断面図である。
図８に示すように、浴室出入口１Ｂは、本実施形態におけるラック１１と、ピニオンギヤ１２およびロータリーオイルダンパー１３との取り付け方を逆にして構成されたものである。すなわち、ロータリーオイルダンパー１３がカバー部２０Ｂにビス止め固定され、ラック１１が支持部材２０９を介して引戸３の上框３１に固定されている。なお、支持部材２０９は、上框３１に対して着脱可能に構成され、かつ、上下方向に固定位置が調整可能に設けられている。
【００４０】
［第３実施形態］
次に、本発明の第３実施形態を図９〜図１１に基づいて説明する。
図９は、本実施形態における建具としての浴室出入口１Ｃの上部を拡大して示す正面図である。図１０は、浴室出入口１Ｃの減速装置１０Ｃの要部を拡大して示す縦断面図である。図１１は、減速装置１０Ｃの機構を説明するための模式図である。
本実施形態における浴室出入口１Ｃは、前述の第１実施形態の浴室出入口１に対して減速装置１０Ｃの構成が相違するもので、その他の構成は略同様である。以下、相違点について説明する。
【００４１】
図９から図１１に示すように、カバー部２０Ｃには、長手寸法Ｌ１の閉鎖側ラック１１Ａおよび長手寸法Ｌ３の開放側ラック１１Ｂがそれぞれ固定されている。閉鎖側ラック１１Ａは、カバー部２０Ｃの取付面部２０２の内側に突起部２０４Ｃ，２０５Ｃに係止固定され、開放側ラック１１Ｂは、閉鎖側ラック１１Ａの反対側、つまり、底面部２０３側の内側の突起部２０４Ｄ，２０５Ｄに係止固定されている。
【００４２】
ロータリーオイルダンパー１３は、第１実施形態と同様に、矢印Ａ（図１１）の反時計回りの回転方向（減衰力発揮回転方向）において回転軸部の回転エネルギを吸収するように構成されている。矢印Ｂの時計方向周りの回転方向（非減衰力発揮回転方向）では、ロータリーオイルダンパー１３は、作用しないように構成されている。
このような構成において、引戸３を閉移動させると、閉鎖側減速区間Ｌ２にて、ピニオンギヤ１２と閉鎖側ラック１１Ａとが噛合し、かつ、ピニオンギヤ１２が矢印Ａの反時計周りの回転方向（減衰力発揮回転方向）に回転するので、引戸３が減速する。また、引戸３を開移動させた場合にも、開放側減速区間Ｌ４にて、ピニオンギヤ１２と開放側ラック１１Ｂとが噛合し、かつ、ピニオンギヤ１２が矢印Ａの反時計周りの回転方向（減衰力発揮回転方向）に回転するので、引戸３が減速する。
【００４３】
このような本実施形態によれば、前述の効果に加えて以下のような効果がある。
（３−１）開動作および閉動作のいずれの場合にも、引戸３は、減速装置１０Ｃによって減速されるので、引戸３を過剰な操作力で動作させた際に、引戸３が勢いよく縦枠２３，２４に衝突することを防ぎ、操作性を良好にすることができる。
【００４４】
（３−２）１つのロータリーオイルダンパー１３で開閉動作の両動作において引戸３を減速させることができるので、減速装置１０Ｃを構成する部品点数を削減できる。ただし、ロータリーオイルダンパー１３を２つ設けてもよく、その場合には、減衰力発揮回転方向が同一のダンパー（共通仕様のダンパー）を２つ使用すればよく、部品の種類を少なくできるとともに、部品の取り付け間違い等が防止できる。
【００４５】
なお、本発明は前述の実施形態に限定されるものではなく、本発明の目的を達成できる範囲での変形、改良等は本発明に含まれるものである。
例えば、前記実施形態では、建具としての浴室出入口の説明を行ったが、浴室出入口に限らず、どこに設置された建具でもよく、また、枠体に対してスライド開閉自在に支持された少なくとも１枚の面材を有する建具であればどのような形式の建具であってもよい。
【００４６】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００４７】
【図１】本発明の第１実施形態に係る建具を示す脱衣室側から見た全体正面である。
【図２】前記建具の減速手段の要部を拡大して示す縦断面図である。
【図３】前記減速手段を構成するラックを示す側面図および正面図である。
【図４】前記減速手段を構成するロータリーダンパーを示す側面図および正面図である。
【図５】前記建具のカバー部を示す斜視図である。
【図６】（Ａ），（Ｂ）は、前記建具の閉動作を示す模式図である。
【図７】本発明の第２実施形態に係る減速手段およびカバー部の要部を拡大して示す縦断面図である。
【図８】前記第２実施形態の変形例に係る減速手段およびカバー部の要部を拡大して示す縦断面図である。
【図９】本発明の第３実施形態に係る建具の上部を拡大して示す正面図である。
【図１０】前記建具の減速手段の要部を拡大して示す縦断面図である。
【図１１】前記減速手段の機構を説明するための模式図である。
【符号の説明】
【００４８】
１，１Ａ，１Ｂ，１Ｃ…浴室出入口（建具）、２…建具枠（枠体）、３…引戸（面材）、１０，１０Ａ，１０Ｂ，１０Ｃ…減速装置（減速手段）、１１…ラック、１１Ａ…閉鎖側ラック、１１Ｂ…開放側ラック、１２…ピニオンギヤ、１３…ロータリーオイルダンパー（ロータリーダンパー）、２０，２０Ａ，２０Ｂ，２０Ｃ…カバー部、Ｌ２…閉鎖側減速区間、Ｌ４…開放側減速区間。
【図１】
2008025239.tif 000003
【図２】
2008025239.tif 000004
【図３】
2008025239.tif 000005
【図４】
2008025239.tif 000006
【図５】
2008025239.tif 000007
【図６】
2008025239.tif 000008
【図７】
2008025239.tif 000009
【図８】
2008025239.tif 000010
【図９】
2008025239.tif 000011
【図１０】
2008025239.tif 000012
【図１１】
2008025239.tif 000013